(57)【要約】【課題】文字板の裏面側において、意匠の直下に相当する部位から文字板の中心の直下に相当する部位に寄って配置された光源を有する計器において、意匠の見栄えを低下させることなく、照明効率を向上させることができる計器を提供する。【解決手段】文字板の周縁部近傍には照明すべき意匠が形成されており、文字板の裏面側には文字板の中心部の直下に相当する部位に寄って、意匠を照明するための複数の光源２２が配置されている。また、文字板の裏面側には、複数の光源２２とそれぞれ対になって複数の反射壁２１ａが立設されており、複数の光源２２から出射されて文字板の中心に向かう光は、意匠が形成されている文字板裏面に向かうように反射される。これにより、照明する必要のない文字板の中心に与えられていた光が、文字板の周縁部近傍に形成された意匠に与えられる。【選択図】図３
2006275537.tif 000002
【特許請求の範囲】
【請求項１】
周縁部近傍に照明すべき意匠が形成された文字板と、
前記文字板の裏面側において、前記意匠の直下に相当する部位から前記文字板の中心の直下に相当する部位に寄って配置された、前記意匠を照明するための複数の光源と、
を有する計器において、
前記文字板の裏面側において、前記複数の光源とそれぞれ対になって立設され、前記複数の光源から出射されて前記文字板の中心に向かう光を、前記意匠が形成されている文字板裏面に向かうように反射させる複数の反射壁、
を有することを特徴とする計器。
【請求項２】
請求項１記載の計器において、
前記複数の反射壁はそれぞれ、
前記複数の光源から出射された光を反射させて、直線的に前記意匠が形成されている文字板裏面に入射するように配置されている、
ことを特徴とする計器。
【発明の詳細な説明】
【技術分野】
【０００１】
本発明は、車両等に搭載される計器に関し、特に、周縁部近傍に照明すべき意匠が形成された文字板と、文字板の裏面側において意匠の直下に相当する部位から文字板の中心の直下に相当する部位に寄って配置された複数の光源と、を有する計器に関する。
【背景技術】
【０００２】
従来、車両等に搭載される計器においては、下記特許文献１に示されているように、速度やエンジン回転数を示す目盛りや数字等のような照明すべき意匠が文字板の周縁部近傍に形成されたものが多い。図５は、この種の従来の計器の表示部を示す正面図である。図６は、図５の表示部の裏面側の状態を示す斜視図である。図７は、従来の計器による作用及び問題点を説明するための断面図である。
【０００３】
図５に示すように、ここでは、アナログ式の速度計を例示している。図５に示すように、この計器１′の文字板１１の周縁部近傍には、速度に対応する数字意匠１２、グラディエーション意匠１３、目盛意匠１４が形成されている。これらは、文字板１１の周縁部近傍全域にわたって形成されている。
【０００４】
文字板１１は、数字意匠１２、グラディエーション意匠１３、目盛意匠１４を中抜きにして、例えば、黒をベース色とする印刷が施されている。また、文字板１１における中央の下方には、累積走行距離をディジタル表示する表示部１５も設けられている。数字意匠１２及び目盛意匠１４は、ムーブメントにより回転される指針１６にて指示される。指針１６の先細り状の指示部の底面には、ホットスタンプ層が形成されており、光源からの光を受けて、指針１６はホットスタンプ層の色に基づく色調で光輝する。
【０００５】
また、図６に示すように、文字板１１を搭載する樹脂製のケース２０の一部は、浅皿状に掘り下げられたような形状をしており、その底面部には基板２３（図７参照）に搭載された複数の光源２２が配置されている。各光源２２は、断面三角形状の仕切部２１によって仕切られている。また、各光源２２は、文字板１１の裏面側において、意匠１２、１３、１４の直下に相当する部位から文字板の中心部の直下に相当する部位（回転軸２６）に寄って配置されている。これは、意匠１２、１３、１４の直下に光源２２を配置すると、必要以上に意匠１２、１３、１４の照明が強くなりすぎて、意匠の見栄えが悪くなるためである。本発明は、このような構成が前提となっている。なお、回転軸２６の下方には、上記表示部１５の液晶表示装置を収容する箱型の収容部２５も設けられている。
【０００６】
このような構成において、所定のトリガー信号に応答して、光源２２及び図示しない指針照明用光源が点灯すると、指針１６は上記ホットスタンプに応じた色で光輝する。また、図７に示すように、文字板照明用の光源２２からの出射光のうちで出射光Ｒ３は、直線的に、数字意匠１２、グラディエーション意匠１３、目盛意匠１４が形成されている部位に向かう。そして、意匠１２、１３、１４が照明される。一方、光源２２からの出射光のうちで出射光Ｒ１、Ｒ２は、数字意匠１２、グラディエーション意匠１３、目盛意匠１４には向かわず、図５及び図７に示すような、照明する必要のない文字板１１の中心部周囲の領域Ａに向かう。
【０００７】
なお、この出願の発明に関連する先行技術文献情報としては次のものがある。
【特許文献１】特開２００３−１９４５９４号公報
【発明の開示】
【発明が解決しようとする課題】
【０００８】
上述のように、従来の計器によれば、文字板１１の裏面側において、複数の光源２２が意匠１２、１３、１４の直下に相当する部位から文字板の中心部の直下に相当する部位に寄って配置されているため、本来照明する必要のない文字板１１の中心部周囲の領域Ａに多くの無駄な光が与えられていた。したがって、照明効率があまりよくなかった。
【０００９】
よって本発明は、上述した現状に鑑み、文字板の裏面側において、意匠の直下に相当する部位から文字板の中心の直下に相当する部位に寄って配置された光源を有する計器において、意匠の見栄えを低下させることなく、照明効率を向上させることができる計器を提供することを課題としている。
【課題を解決するための手段】
【００１０】
上記課題を解決するためになされた請求項１記載の計器は、周縁部近傍に照明すべき意匠が形成された文字板と、前記文字板の裏面側において、前記意匠の直下に相当する部位から前記文字板の中心の直下に相当する部位に寄って配置された、前記意匠を照明するための複数の光源と、を有する計器において、前記文字板の裏面側において、前記複数の光源とそれぞれ対になって立設され、前記複数の光源から出射されて前記文字板の中心に向かう光を、前記意匠が形成されている文字板裏面に向かうように反射させる複数の反射壁、を有することを特徴とする。
【００１１】
請求項１記載の発明によれば、文字板の周縁部近傍には照明すべき意匠が形成されており、文字板の裏面側には文字板の中心部の直下に相当する部位に寄って、意匠を照明するための複数の光源が配置されている。また、文字板の裏面側には、複数の光源とそれぞれ対になって複数の反射壁が立設されており、複数の光源から出射されて文字板の中心に向かう光は、意匠が形成されている文字板裏面に向かうように反射される。これにより、照明する必要のない文字板の中心に与えられていた光が、文字板の周縁部近傍に形成された意匠に与えられるようになる。
【００１２】
上記課題を解決するためになされた請求項２記載の計器は、請求項１記載の計器において、前記複数の反射壁はそれぞれ、前記複数の光源から出射された光を反射させて、直線的に前記意匠が形成されている文字板裏面に入射するように配置されている、ことを特徴とする。
【００１３】
請求項２記載の発明によれば、複数の反射壁によって、複数の光源から出射された光は直線的に意匠が形成されている文字板裏面に入射する。これにより、文字板の周縁部近傍に形成された意匠に対して光源からの出射光を集めることができるようになる。
【発明の効果】
【００１４】
請求項１記載の発明によれば、文字板の周縁部近傍には照明すべき意匠が形成されており、文字板の裏面側には文字板の中心部の直下に相当する部位に寄って、意匠を照明するための複数の光源が配置されている。また、文字板の裏面側には、複数の光源とそれぞれ対になって複数の反射壁が立設されており、複数の光源から出射されて文字板の中心に向かう光は、意匠が形成されている文字板裏面に向かうように反射される。これにより、照明する必要のない文字板の中心に与えられていた光が、文字板の周縁部近傍に形成された意匠に与えられるようになる。また、文字板の中心に与えられていた光は、反射光として意匠が形成されている文字板裏面に与えられるので、意匠が必要以上に強く照明されることもない。したがって、意匠の見栄えを低下させることなく、照明効率を大きく向上させることができる。
【００１５】
請求項２記載の発明によれば、複数の反射壁によって、複数の光源から出射された光は直線的に意匠が形成されている文字板裏面に入射する。これにより、文字板の周縁部近傍に形成された意匠に対して光源からの出射光を集めることができるようになる。したがって、照明効率をより向上させることができる。
【発明を実施するための最良の形態】
【００１６】
以下、本発明の実施の形態を図面に基づいて説明する。図１は、本発明の一実施形態に係る計器の表示部を示す正面図である。図２は、図１の表示部における文字板の周縁部近傍を示す斜視図である。図３は、図１の表示部の裏面側の状態を示す斜視図である。
【００１７】
図１に示すように、この実施形態に係る計器１は、車両等に搭載される指示計器であり、ここでは、アナログ式の速度計を例示している。いうまでもなく、回転計、水温計、燃料計等であってもよい。
【００１８】
図１に示すように、この計器１の表示部は略円盤状の文字板１１を含む。文字板１１は例えば、透明生地のポリカーボネイト製シートである。文字板１１の周縁部近傍には、図２にも示すように、速度に対応する数字意匠１２、数字意匠１２を細かく分割する目盛意匠１４、数字意匠１２と目盛意匠１４との間に形成されたグラディエーション意匠１３が形成されている。これらは、文字板１１の周縁部近傍全域にわたって形成されている。なお、目盛意匠１４は、数字意匠１２に対応する大目盛りとして、文字板１１に取り付けられた透明樹脂製の立体的な大目盛部１４ａ、及び目盛り部材１４ａを更に細かく分割する文字板１１に形成された小目盛部１４ｂとから構成される。
【００１９】
文字板１１は、数字意匠１２、グラディエーション意匠１３、目盛意匠１４を中抜きにして、例えば、黒をベース色とする印刷が施されている。数字意匠１２、グラディエーション意匠１３、目盛意匠１４は、薄い青色や赤色の印刷が施されていてもよい。特に、グラディエーション意匠１３は、立体感を強調するために、文字板１１の中心部から周縁に向かうにしたがって徐々に高密度になっている。また、文字板１１における中央の下方には、累積走行距離をディジタル表示する表示部１５も設けられている。
【００２０】
数字意匠１２及び目盛意匠１４は、指針１６にて指示される。指針１６は、指針袴とよばれる回転軸部が、基板２３（図４参照）上に配置されたムーブメントの回転軸２６（図３参照）に挿通される。回転軸は、速度を示す計測信号に応じた量だけ回転して、指針１６を計測信号に応じた角度だけ回転させる。これにより、指針１６は所定の数字意匠１２及び目盛意匠１４を指示する。また、指針１６の先細り状の指示部の底面には、ホットスタンプ層が形成されており、光源からの光を受けて、指針１６はホットスタンプ層の色に基づく色調で光輝する。
【００２１】
また、図３に示すように、文字板１１を搭載する樹脂製のケース２０の一部は、浅皿状に掘り下げられたような形状をしており、その底面部には複数の光源２２が配置されている。光源２２としては、周知のＬＥＤ（Light Emitting Diode；発光ダイオード）が用いられる。また、各光源２２はそれぞれ、上記数字意匠１２の「０」、「２０」、「４０」、…、「１８０」に対応するように配置されている。また、各光源２２は、断面三角形状の仕切部２１によって仕切られている。各仕切部２１は、外側に向かって放射線状に広がるように形成されており、放射線の中心部からはムーブメントの回転軸２６がのぞいている。そして、各光源２２は、文字板１１の裏面側において、意匠１２、１３、１４の直下に相当する部位から文字板の中心部の直下に相当する部位（回転軸２６）に寄って配置されている。なお、回転軸２６の下方には、上記表示部１５の液晶表示装置を収容する箱型の収容部２５も設けられている。
【００２２】
また、複数の光源２２の回転軸２６側には、各光源２２とそれぞれ対になって複数の反射壁２１ａが立設されている。各反射壁２１ａは共に、ケース２０に一体形成されており、ケース２０と同様に白色をしている。また、各反射壁２１ａは共に、同等の大きさであり矩形片状をしている。また、各反射壁２１ａは共に、各光源２２ａからやや離間している。各反射壁２１ａは、文字板１１に接しない程度の高さを有している。そして、各反射壁２１ａは、複数の光源２２から出射されて文字板１１の中心部に向かう光を、上記数字意匠１２、グラディエーション意匠１３、目盛意匠１４が形成されている文字板裏面に向かうように反射させるためのものである。
【００２３】
続いて、反射壁２１ａの作用及び効果について図４を用いて説明する。図４は、本発明の実施形態による作用及び効果を説明するための断面図である。
【００２４】
上記構成において、所定のトリガー信号に応答して、光源２２及び図示しない指針照明用光源が点灯すると、指針１６は上記ホットスタンプに応じた色で光輝する。また、図４に示すように、文字板照明用の光源２２からの出射光のうちで出射光Ｒ３は、直線的に、数字意匠１２、グラディエーション意匠１３、目盛意匠１４が形成されている部位に向かう。また、光源２２からの出射光のうちで出射光Ｒ１、Ｒ２は、反射壁２１ａで反射されて数字意匠１２、グラディエーション意匠１３、目盛意匠１４が形成されている部位に向かう。これら光Ｒ１、Ｒ２、Ｒ３が合成されて、照明すべき数字意匠１２、グラディエーション意匠１３、目盛意匠１４に与えられる。更に、図７に示した領域Ａに向かおうとする出射光Ｒ１、Ｒ２は、反射壁２１ａによって遮断される。したがって、領域Ａに与えられる光量は減じられる。すなわち、従来、領域Ａに与えられていた光の一部が合成されて、本実施形態によれば、数字意匠１２、グラディエーション意匠１３、目盛意匠１４に与えられるようになる。
【００２５】
以上説明したように、本発明の実施形態によれば、従来、照明する必要のない文字板１１の中心に与えられていた光が、文字板１１の周縁部近傍に形成された意匠１２、１３、１４に与えられるようになる。すなわち、光源２２の出射光の光路が意匠１２、１３、１４側に定められる。なお、従来、中心に与えられていた光は、本実施形態では、反射光として意匠１２、１３、１４が形成されている文字板裏面に与えられるので、意匠が必要以上に強く照明されることもない。したがって、意匠の見栄えを低下させることなく、照明効率を大きく向上させることができる。
【００２６】
なお、光源２２から領域Ａに向かう光が意匠１２、１３、１４の形成されている文字板裏面に直線的に反射するように反射壁２１ａを配置するのが、照明効率の観点からより好ましいが、上記領域Ａに向かう光を減ずることができれば、該出射光がケース内壁等に反射して間接的に該文字板裏面に入射するように反射壁２１ａを配置してもよい。請求項１の発明はこのような構成も含むものである。また、本発明は、速度計のみらず、エンジン回転計、更には、車両以外に搭載される計器に適用されてもよい。
【図面の簡単な説明】
【００２７】
【図１】本発明の一実施形態に係る計器の表示部を示す正面図である。
【図２】図１の表示部における文字板の周縁部近傍を示す斜視図である。
【図３】図１の表示部の裏面側の状態を示す斜視図である。
【図４】本発明の実施形態による作用及び効果を説明するための断面図である。
【図５】この種の従来の計器の表示部を示す正面図である。
【図６】図５の表示部の裏面側の状態を示す斜視図である。
【図７】従来の計器による作用及び問題点を説明するための断面図である。
【符号の説明】
【００２８】
１  計器
１１  文字板
１２  数字意匠
１３  グラディエーション意匠
１４  目盛意匠
２０  ケース
２１ａ  反射壁
２２  光源
【図１】
2006275537.tif 000003
【図２】
2006275537.tif 000004
【図３】
2006275537.tif 000005
【図４】
2006275537.tif 000006
【図５】
2006275537.tif 000007
【図６】
2006275537.tif 000008
【図７】
2006275537.tif 000009